(57)【要約】【課題】小型であって、シンプルな構造の自動車用の電子式ペダルユニットを提供すること。【解決手段】自動車用の電子式ペダルユニット１は、フットペダル１３を取り付けてあると共に磁石体４１を保持したロータ２と、ロータ２を回転可能なように軸支する支持シャフト３と、磁石体４１から作用する所定方向の磁界強度を計測する磁界計測素子６０とを有している。磁界計測素子６０は、支持シャフト３における軸方向の少なくとも一部に形成した中空部３３に配置してある。【選択図】図１
2007256122.tif 000002
【特許請求の範囲】
【請求項１】
自動車の運転者が足で操作するフットペダルを含む自動車用の電子式ペダルユニットであって、
上記フットペダルを取り付けてあると共に磁石体を保持したロータと、
該ロータを回転可能なように軸支する支持シャフトと、
上記磁石体から作用する所定方向の磁界強度を計測する磁界計測素子とを有しており、
上記磁界計測素子は、上記支持シャフトにおける軸方向の少なくとも一部に形成した中空部に配置してあることを特徴とする自動車用の電子式ペダルユニット。
【請求項２】
請求項１において、上記中空部は、上記支持シャフトの外周面から径方向に凹む窪み状を呈しており、上記磁界計測素子は、上記支持シャフトの外周から径方向に挿入されて上記中空部に位置していることを特徴とする自動車用の電子式ペダルユニット。
【請求項３】
請求項２において、上記磁界計測素子を実装した素子基板を有してなり、該素子基板の少なくとも一部が上記中空部に位置していることを特徴とする自動車用の電子式ペダルユニット。
【請求項４】
請求項１において、上記中空部は、上記支持シャフトの端面から軸方向に穿孔した有底孔状を呈しており、上記磁界計測素子は、上記端面側から軸方向に挿入されて上記中空部に位置していることを特徴とする自動車用の電子式ペダルユニット。
【請求項５】
請求項４において、上記磁界計測素子を実装した素子基板を有してなり、該素子基板の少なくとも一部が上記中空部に位置していることを特徴とする自動車用の電子式ペダルユニット。
【請求項６】
請求項４又は５において、断面略円環状を呈し、底面に第１のカムを設けたカム収容部を軸方向に沿って穿設してなる上記ロータと、軸方向の端面に第２のカムを設けた略円筒状のスライドカムとを有しており、
上記スライドカムは、上記第２のカムが上記第１のカムに当接するように軸方向に付勢され、かつ、回転を規制された状態で上記カム収容部に収容してあり、
上記第１のカム及び上記第２のカムは、上記フットペダルの踏み込みに伴う上記ロータの回転に応じて当接しながら摺動し、上記スライドカムを後退させるように構成してあることを特徴とする自動車用の電子式ペダルユニット。
【請求項７】
請求項６において、上記ロータを収容すると共に上記支持シャフトを保持するハウジングを有してなり、該ハウジングが、直接的又は間接的に上記素子基板を保持していることを特徴とする自動車用の電子式ペダルユニット。
【請求項８】
請求項７において、上記支持シャフトの上記中空部は、上記ハウジングの外側に位置する開口部を介して外部に開口しており、上記ハウジングが保持する上記素子基板は、上記開口部を介して上記中空部に挿入されていることを特徴とする自動車用の電子式ペダルユニット。
【請求項９】
請求項８において、上記素子基板を保持すると共に上記磁界計測素子から電気的に延設されたターミナルピンを保持するセンサブロックを有してなり、該センサブロックは、上記ハウジングの外側に固定してあることを特徴とする自動車用の電子式ペダルユニット。
【請求項１０】
請求項９において、上記ハウジングは、上記センサブロックを脱着可能な状態で保持していることを特徴とする自動車用の電子式ペダルユニット。
【請求項１１】
請求項１〜１０のいずれか１項において、上記磁界計測素子は、上記ロータの回転軸に略一致して配置してあることを特徴とする自動車用の電子式ペダルユニット。
【請求項１２】
請求項１〜１１のいずれか１項において、上記磁石体の分極方向において、該磁石体と対向するように配置した導磁性材料よりなるガイド部材とを有してなり、
上記磁界計測素子は、上記ロータの回転に伴う上記磁石体が回動する軌跡の内周側であって、かつ、上記磁石体と上記ガイド部材とが対向する間隙に配置してあることを特徴とする自動車用の電子式ペダルユニット。
【請求項１３】
請求項１２において、上記ガイド部材は、上記支持シャフトを介して上記磁石体と対向するように上記ロータに保持されていることを特徴とする自動車用の電子式ペダルユニット。
【請求項１４】
請求項１〜１３のいずれか１項において、上記ロータと一体をなすアクセルペダルを有しており、該アクセルペダルの変位に応じて回転する上記ロータが回転するように構成したアクセルペダルユニットであることを特徴とする自動車用の電子式ペダルユニット。
【発明の詳細な説明】
【技術分野】
【０００１】
本発明は、フットペダルの操作量に応じた電気信号を出力する自動車用のペダルユニットに関する。
【背景技術】
【０００２】
従来より、例えば、自動車を運転するドライバーが足で操作するフットペダルの操作量（踏み込み量）を検出し、操作量に応じた電気信号を出力する電子式ペダルユニットがある。電子式ペダルユニットとしては、例えば、フットペダルの踏み込みに従動して回動する磁石体を備え、この磁石体から作用する磁界を計測することによりフットペダルの操作量を非接触で検出する電子式ペダルユニットがある（例えば、特許文献１参照。）。
【０００３】
この電子式ペダルユニットは、外周部に磁石体を立設した円板状の回転ディスクと、磁界計測素子を立設した素子基板とを含むセンサモジュールを備えたものである。センサモジュールでは、磁界計測素子が磁石体の回動中心に位置するよう、回転ディスクに対して素子基板が対面配置されている。そして、上記電子式ペダルユニットでは、フットペダルの回動動作を軸支する回転軸の回転運動が上記回転ディスクに伝達されている。
【０００４】
しかしながら、上記従来の電子式ペダルユニットでは、次のような問題がある。すなわち、フットペダルの回動動作を軸支する回転軸の回転運動をセンサモジュールに伝達するための伝達機構が必要となり、機構が複雑となるおそれがあるという問題がある。また、上記回転軸に対してセンサモジュールを同軸に配置すれば伝達機構を簡略化できるが、回転軸方向、すなわちペダルユニットの幅方向の体格が大型化するおそれがあるという問題がある。
【０００５】
【特許文献１】特表２００２−５４２４７３号公報
【発明の開示】
【発明が解決しようとする課題】
【０００６】
本発明は、上記従来の問題点に鑑みてなされたものであり、小型であって、シンプルな構造の自動車用の電子式ペダルユニットを提供しようとするものである。
【課題を解決するための手段】
【０００７】
本発明は、自動車の運転者が足で操作するフットペダルを含む自動車用の電子式ペダルユニットであって、
上記フットペダルを取り付けてあると共に磁石体を保持したロータと、
該ロータを回転可能なように軸支する支持シャフトと、
上記磁石体から作用する所定方向の磁界強度を計測する磁界計測素子とを有しており、
上記磁界計測素子は、上記支持シャフトにおける軸方向の少なくとも一部に形成した中空部に配置してあることを特徴とする自動車用の電子式ペダルユニットにある（請求項１）。
【０００８】
本発明の自動車用の電子式ペダルユニットでは、上記フットペダルを取り付けた上記ロータが上記磁石体を保持しており、上記ロータを回転軸支する上記支持シャフトに設けた上記中空部に上記磁界計測素子を配置してある。この電子式ペダルユニットでは、上記支持シャフトの上記中空部に配置した上記磁界計測素子が、上記ロータに保持された上記磁石体から作用する上記所定方向の磁界強度を計測する。
【０００９】
上記電子式ペダルユニットの上記ロータが回転すると、その回転角に応じて上記磁石体から上記磁界計測素子に作用する磁界方向が変化し、上記所定方向の磁界強度が変化する。それ故、上記磁界計測素子を用いて上記所定方向の磁界強度を計測すれば、上記ロータの回転角を計測することができる。上記電子式ペダルユニットにおける上記ロータは、上記フットペダルの回動に伴って回転するように構成してある。それ故、上記ロータの回転を計測すれば上記フットペダルの回動角、すなわち、操作量を計測できる。
【００１０】
以上のように、本発明の自動車用の電子式ペダルユニットは、上記フットペダルの回動機構をなす上記ロータ及び上記支持シャフトに、上記磁石体あるいは上記磁界計測素子を配置したものである。それ故、上記電子式ペダルユニットは、電子式を採用したことによる体格の大型化を回避しながらシンプルな構造のものとなり得る。そして、シンプルな構造の上記電子式ペダルユニットによれば、トラブルの発生を未然に抑制でき、長期間の使用期間に渡ってその優れた初期性能を維持し得る。
【発明を実施するための最良の形態】
【００１１】
本発明において、上記ロータに上記フットペダルを取り付けた状態としては、上記ロータに対して上記フットペダルを直接、取り付けした取付け状態のほか、例えば、適宜、折り曲げた棒状のペダルロッド等を介して上記フットペダルを間接的に取り付けした取付け状態等がある。
【００１２】
また、上記ロータとしては、ナイロン、ポリプロピレン等の樹脂材料よりなるものを採用することができる。さらに、樹脂材料よりなるロータとしては、上記磁石体をインサート成形したものを採用することも良い。
また、上記自動車用の電子式ペダルユニットは、アクセルペダルユニットや、ブレーキペダルユニットや、クラッチペダルユニットや、足踏み式のサイドブレーキユニット等、ドライバーが足で操作する様々な操作手段として採用することができる。
【００１３】
また、上記中空部は、上記支持シャフトの外周面から径方向に凹む窪み状を呈しており、上記磁界計測素子は、上記支持シャフトの外周から径方向に挿入されて上記中空部に位置していることも良い（請求項２）。
この場合には、径方向から挿入され、上記中空部に位置した上記磁界計測素子を利用して、上記フットペダルの操作量を計測できるようになる。ただし、上記の場合には、上記磁界計測素子への電力供給や信号出力等のアクセス経路と、上記磁石体あるいは上記ガイド部材との干渉を未然に回避できるよう、上記ロータの回転角を１８０度未満に規制する必要がある。
【００１４】
さらに、上記の場合には、上記ロータの外周面から径方向に向かって穿設され、軸芯に至る横穴を上記ロータに設けておくことが好ましい。この場合には、上記横穴を介して、上記磁界計測素子への電力供給や信号出力等を実施し得る。さらに、軸方向に２分割構造のロータを採用すると共に、２分割のロータの軸方向の間隙に上記磁石体を保持することも良い。この場合には、上記隙間を利用して上記磁界計測素子へアクセス経路を確保できる。
【００１５】
また、上記磁界計測素子を実装した素子基板を有してなり、該素子基板の少なくとも一部が上記中空部に位置していることが好ましい（請求項３）。
この場合には、上記磁界計測素子を上記素子基板に実装しておくことで、例えば、上記支持シャフトの内周面と上記磁界計測素子とが直接、干渉するおそれを抑制でき、上記磁界計測素子にトラブルが発生するおそれを未然に抑制し得る。
【００１６】
また、上記中空部は、上記支持シャフトの端面から軸方向に穿孔した有底孔状を呈しており、上記磁界計測素子は、上記端面側から軸方向に挿入されて上記中空部に位置していることが好ましい（請求項４）。
この場合には、上記磁界計測素子への電力供給や信号出力等のアクセス経路が上記ロータ等と干渉するおそれを抑制できる。それ故、上記アクセス経路の設計自由度が格段に高くなり、上記ロータの回転角が大きい場合にも対応できるようになる。
【００１７】
また、上記磁界計測素子を実装した素子基板を有してなり、該素子基板の少なくとも一部が上記中空部に位置していることが好ましい（請求項５）。
この場合には、上記支持シャフトの端面から軸方向に沿って上記素子基板を差し込みし、当該素子基板に実装した上記磁界計測素子を上記中空部に配置することができる。
【００１８】
また、断面略円環状を呈し、底面に第１のカムを設けたカム収容部を軸方向に沿って穿設してなる上記ロータと、軸方向の端面に第２のカムを設けた略円筒状のスライドカムとを有しており、
上記スライドカムは、上記第２のカムが上記第１のカムに当接するように軸方向に付勢され、かつ、回転を規制された状態で上記カム収容部に収容してあり、
上記第１のカム及び上記第２のカムは、上記フットペダルの踏み込みに伴う上記ロータの回転に応じて当接しながら摺動し、上記スライドカムを後退させるように構成してあることが好ましい（請求項６）。
【００１９】
上記ロータと上記スライドカムとを組み合わせた機構は、上記フットペダルに作用する操作力（踏力）と回動角度（操作量）との関係にヒステリシスを与えるヒステリシス機構として作用する。そして、上記のごとくスライドカムを配置する場合には、上記磁界計測素子を配置した上記支持シャフトの外周側に効率良く上記ヒステリシス機構を形成することができる。すなわち、上記磁石体と上記磁界計測素子との組み合わせによる回転角を計測するための機構と、上記スライドカムを含むヒステリシス機構とを径方向にずらして配置することにより軸方向に重ねて配置できる。これにより、上記電子式ペダルユニットの軸方向の体格を抑制しながら、上記スライドカムを含むヒステリシス機構を具備させることができる。
【００２０】
また、上記ロータを収容すると共に上記支持シャフトを保持するハウジングを有してなり、該ハウジングが、直接的又は間接的に上記素子基板を保持していることが好ましい（請求項７）。
この場合には、上記支持シャフト及び上記素子基板を上記ハウジングに保持させることにより、上記素子基板を位置精度高く上記支持シャフトの上記中空部に差し込むことができる。そして、上記素子基板に実装した上記磁界計測素子を上記支持シャフトの上記中空部に位置精度高く配置することができる。位置精度高く配置した上記磁界計測素子によれば、上記ロータの回転に伴う上記磁石体の回動角を精度高く計測でき、上記フットペダルの操作量を精度高く計測できる。
【００２１】
また、上記支持シャフトの上記中空部は、上記ハウジングの外側に位置する開口部を介して外部に開口しており、上記ハウジングが保持する上記素子基板は、上記開口部を介して上記中空部に挿入されていることが好ましい（請求項８）。
この場合には、上記ハウジングに上記支持シャフト等を組み付けした後、上記ハウジングの外側に開口する上記開口部を介して上記素子基板を組み付けできるようになる。一方、使用期間中において上記磁界計測素子に何らかのトラブルを生じた場合には、上記ハウジングの外側に開口する上記開口部を介して上記素子基板を取り外すことができる。このように上記のように構成すれば、上記素子基板の組み付け作業や、交換作業等が容易になり得る。
【００２２】
また、上記素子基板を保持すると共に上記磁界計測素子から電気的に延設されたターミナルを保持するセンサブロックを有してなり、該センサブロックを、上記ハウジングの外側に固定してあることが好ましい（請求項９）。
この場合には、モジュール化された上記センサブロックを採用することにより、上記素子基板と、上記磁界計測素子への電力供給や信号出力のための電気的な経路である上記ターミナルとをサブアッセンブリー化できる。そして、上記素子基板や上記ターミナルを予め組み付けした上記センサブロックを利用すれば、上記電子式ペダルユニットの組み付け作業が極めて容易になり得る。
【００２３】
また、上記ハウジングは、上記センサブロックを脱着可能な状態で保持していることが好ましい（請求項１０）。
この場合には、例えば、上記磁界計測素子のトラブル等、電気的なトラブルを生じたとき、上記センサブロックごと交換することで上記トラブルを解消できるようになる。それ故、上記電子式ペダルユニットは、使用期間中におけるメンテナンス作業が容易という優れた特性を備えたものとなる。
さらに、上記センサブロックは、上記素子基板を脱着可能な状態で保持していることも良い。この場合には、上記素子基板のみの交換が可能となり、例えば、上記磁界計測素子に何らかのトラブルを生じたときの修復費用を抑制し得る。
【００２４】
また、上記磁界計測素子は、上記ロータの回転軸に略一致して配置してあることが好ましい（請求項１１）。
この場合には、上記ロータの回転に伴って発生するおそれがある上記磁石体と上記磁界計測素子との距離の変動をゼロに近づけることができる。そして、上記ロータの回転に伴って上記磁界計測素子に作用する磁界の変化のうち、上記の距離の変動に伴う成分をゼロに近づけることができる。そのため、上記のごとく上記磁界計測素子を上記ロータの回転軸上に配置すれば、上記磁界方向の変化に基づいて上記ロータの回転角を精度高く計測できる。
【００２５】
また、上記磁石体の分極方向において、該磁石体と対向するように配置した導磁性材料よりなるガイド部材とを有してなり、
上記磁界計測素子は、上記ロータの回転に伴う上記磁石体が回動する軌跡の内周側であって、かつ、上記磁石体と上記ガイド部材とが対向する間隙に配置してあることが好ましい（請求項１２）。
【００２６】
この場合には、上記導磁性材料よりなる上記ガイド部材を利用して、上記磁石体から発生する磁束を集向でき、上記磁界計測素子に作用する磁束密度を高めることができる。さらに、上記導磁性材料よりなる上記ガイド部材によれば、上記磁石体から発生する磁束を配向でき、上記磁界計測素子に作用する磁束の平行度を高めて磁界の均一性を向上させることができる。
【００２７】
また、上記ガイド部材は、上記支持シャフトを介して上記磁石体と対向するように上記ロータに保持されていることが好ましい（請求項１３）。
この場合には、上記磁石体及び上記ガイド部材を上記ロータに保持させることで、上記磁石体と上記ガイド部材とが対向する位置関係を精度高く維持できる。
【００２８】
また、上記ロータと一体をなすアクセルペダルを有しており、該アクセルペダルの変位に応じて回転する上記ロータが回転するように構成したアクセルペダルユニットであることが好ましい（請求項１４）。
この場合には、自動車等のアクセル開度をコントロールするための上記アクセルぺダルの操作量を精度高く計測し得る優れた特性を備えた上記アクセルペダルユニットを実現できる。
【実施例】
【００２９】
（実施例１）
本例は、磁界計測素子６０を利用した電子式の回転角計測ユニット１に関する例である。この内容について、図１〜図１２を用いて説明する。
本例の自動車用の電子式ペダルユニット１は、自動車の運転者が足で操作するフットペダル１３を含むものである。
この電子式ペダルユニット１は、フットペダル１３を取り付けてあると共に磁石体４１を保持したロータ２と、ロータ２に回転可能なように軸支する支持シャフト３と、磁石体４１から作用する所定方向の磁界強度を計測する磁界計測素子６０とを有している。
電子式ペダルユニット１における磁界計測素子６０は、支持シャフト３における軸方向の少なくとも一部に形成した中空部３３に配置してある。
以下に、この内容について詳しく説明する。
【００３０】
本例の自動車用の電子式ペダルユニット１は、図１〜図３に示すごとく、フットペダル１３としてアクセルペダル（以下、アクセルぺダル１３という。）を備えたアクセルペダルユニット（以下、アクセルペダルユニット１という。）である。
このアクセルペダルユニット１は、ペダルロッド１２を介してアクセルペダル１３を一体的に保持するロータ２と、該ロータ２を回転可能な状態で収容するハウジング７と、ロータ２を回転支持する支持シャフト３と、磁界計測素子６０を含むセンサブロック６とを有している。アクセルペダルユニット１では、中空構造を呈する支持シャフト３の中空部３３に磁界計測素子６０を配置してあり、磁石体４１及びガイド部材４２をインサート成形したロータ２が磁界計測素子６０の周りを回転する。
【００３１】
上記ロータ２は、図１及び図２に示すごとく、略円柱状を呈する本体部２３と、アクセルペダル１３から延設されたペダルロッド１２を固定するための固定部２４とよりなる。なお、本例では、ロータ２をなす材料として、非磁性材料であるナイロン樹脂を採用している。
【００３２】
固定部２４は、図１〜図３に示すごとく、略円柱状をなす本体部２３の外周面のうち、周方向の一部から外周側に張り出すように形成した部分である。固定部２４は、ロータ２の軸方向長さに略一致する厚みを呈しており、その軸方向の略中央にペダルロッド１２の端部を収容して固定するための溝状のスリット２４１を形成してなる。
【００３３】
固定部２４は、本体部２３の略円形状の断面の接線方向に沿って形成した当たり面２４８を有している。当たり面２４８には、略円柱状の中空部分をなすスプリングポケット２４２を穿孔してある。このスプリングポケット２４２は、踏み込まれたアクセルペダル１３を押し戻す付勢力を発生するリターンスプリング２４５を収容するためのものである。
【００３４】
ロータ２の本体部２３は、図１、図２及び図４に示すごとく、磁石体４１とガイド部材４２とをインサート成形した略円柱状をなす部分である。本体部２３は、軸芯に沿って貫通するシャフト孔２３０を設けてなる。本体部２３では、シャフト孔２３０を介して、磁石体４１とガイド部材４２とが対向している。アクセルペダルユニット１においては、このシャフト孔２３０に上記支持シャフト３が貫通している。
【００３５】
磁石体４１は、図１及び図４に示すごとく、ネオジウムよりなる略角柱状のものである。ガイド部材４２は、導磁性材料である鉄（例えば、Ｓ１５Ｃ。）よりなる略平板状のものである。本例では、磁石体４１の分極方向（着磁方向）がロータ２の径方向に略一致するよう、磁石体４１を配置した。
なお、磁石体４１としては、本例のネオジウムに代えて、フェライト、アルニコ、サマリウムコバルト等を採用することもできる。
【００３６】
本体部２３は、図１、図２及び図４に示すごとく、周方向において固定部２４から離れて、外周に向けて若干、張り出したストッパ部２３９を備えている。本例のアクセルペダルユニット１では、ストッパ部２３９あるいは固定部２４（当たり面２４８）と、ハウジング７の内周面との当接により、ロータ２が回転する範囲（図１中、点線で示す符号１２のペダルロッドの回動位置から実線で示す符号１２のペダルロッドの回動位置までの回動範囲に相当する回転範囲。）を規制してある。
【００３７】
アクセルペダル１３は、図１〜図３に示すごとく、自動車のドライバーが足で操作するためのペダルである。アクセルペダル１３は、略平板状の表面側に、滑り止めのための凸凹を設けた樹脂面１３１を有している。また、アクセルペダル１３は、その裏面側に、ペダルロッド１２を固定するためのロッド固定部１３２を有している。
【００３８】
ペダルロッド１２は、鉄よりなる高剛性の棒状のものであり、全体として略Ｌ字状を呈するように折り曲げたものである。ペダルロッド１２の一方の端部１２１は、上記アクセルペダル１３の裏面に沿うように形成され、ロッド固定部１３２に固定可能なように構成してある。そして、他方の端部１２２は、ロータ２のスリット２４１に挿入、固定可能なように構成してある。
【００３９】
ハウジング７は、図１から図３に示すごとく、ロータ２を収容するための空間を設けたハウジングケース７１と、該ハウジングケース７１に対する蓋状をなすハウジングカバー７２とよりなる。ハウジングケース７１は、車体側に固定するためのブラケット部７１１を外周部に有している。ハウジングカバー７２は、蓋面７２３をなす外表面にセンサブロック６を固定するための固定部（図示略）を有している。
【００４０】
ハウジングケース７１は、図１〜図３に示すごとく、外周側面の一部に、壁面を形成してない欠落部２１０を設けてなる。この欠落部２１０は、完成品であるアクセルペダルユニット１において、ロータ２の固定部２４あるいはペダルロッド１２等の回動空間を形成している。ハウジングケース７１の内周側面のうち、欠落部２１０に隣接する面は、ロータ２の当たり面２４８が当接する受け面７１２をなしている。
【００４１】
図１〜図４に示すごとく、相互に対面するハウジングケース７１の底面７１３、及びハウジングカバー７２の蓋面７２３には、それぞれ、支持シャフト３を貫通させるための貫通孔７１５、７２５を穿孔してある。ハウジングケース７１とハウジングカバー７２とを組み合わせたハウジング７では、貫通孔７１５、７２５が、底面７１３及び蓋面７２３に直交する略一直線上（法線方向。）に配置されている。
【００４２】
支持シャフト３は、図２及び図４に示すごとく、非磁性材料であるアルミニウムよりなる断面略円柱形状の軸状の部材である。支持シャフト３は、ハウジングケース７１側の端部にねじ部３１を有すると共に、ツバ状をなすフランジ部３２をハウジングカバー７２側の端部に有している。さらに、支持シャフト３は、フランジ部３２側の端面に、略円柱状の内周空間である中空部３３を穿孔してなる。
【００４３】
アクセルペダルユニット１における支持シャフト３は、ねじ部３１に螺入したナット３４に係合するワッシャ３５と、他端のツバ状のフランジ部３２とにより、ハウジング７全体を挟圧して固定している。本例の支持シャフト３は、ハウジング７を固定するための構造部材をなし、非回転の部材である。この支持シャフト３は、軸芯に沿ってロータ２（上記本体部２３。）を貫通し、軸芯を中心として回転可能なようにロータ２を軸支している。
【００４４】
さらに、アクセルペダルユニット１における支持シャフト３の中空部３３には、磁界計測素子６０を実装した素子基板６１（センサブロック６の構成部品。詳しくは後述する。）を内挿してある。アクセルペダルユニット１では、中空部３３に素子基板６１を内挿する構造により、支持シャフト３の中空部３３内に磁界計測素子６０を配置している。そして、中空部３３内に磁界計測素子６０を配置することで、ロータ２（本体部２３）の軸芯への磁界計測素子６０の配置を実現している。
【００４５】
センサブロック６は、図２〜図５に示すごとく、図示しない車体側コネクタを接続するためのコネクタソケット部６３と、磁界計測素子６０を実装した素子基板６１と、素子基板６１を覆う素子カバー部６２とを有している。センサブロック６は、導電部材であるターミナルピン６５をインサート成形した樹脂材料よりなるものである。ターミナルピン６５の一方の端部は、コネクタソケット部６３の内側に突出している。ターミナルピン６５の他端は、素子カバー部６２の内側に設けた基板スロット６２１の電極６２２として露出している。
【００４６】
素子基板６１は、図２、図４及び図５に示すごとく、全体として略Ｔ字状を呈するプリント基板である。この素子基板６１は、磁界計測素子６０を実装した実装部６１２と、電極６１４を設けた電極部６１３とよりなる。素子基板６１は、上記基板スロット６２１に電極部６１３を差し込みして取り付けるように構成してある。そして、素子基板６１を取り付けたセンサブロック６では、素子カバー部６２から内側に向けて立設するように素子基板６１が突出している。
【００４７】
磁界計測素子６０は、図５に示すごとく、上記所定方向の磁界強度として所定方向に作用する磁束密度を計測するリニアホールＩＣからなる。磁界計測素子６０は、素子表面の中心部に感磁面６０５を有している。そして、感磁面６０５の法線方向の磁束密度に応じた大きさの信号電圧を出力する。
なお、磁界計測素子６０としては、本例のリニアホールＩＣのほか、ホール効果ＩＣ、ホール素子、磁気抵抗素子等を採用することもできる。
【００４８】
本例の素子基板６１では、図５及び図６に示すごとく、実装部６１２の長手方向に沿って磁界計測素子６０を２個配置してある。本例のアクセルペダルユニット１では、磁石体４１からガイド部材４２に向かう磁束４１６の中心をなす対称軸Ｍに対して、２個の磁界計測素子６０が等しくオフセット（Ｄ／２）されるよう、ロータ２における磁石体４１のインサート位置、及び素子基板６１における磁界計測素子６０の実装位置を設定してある。また、素子基板６１では、各感磁面６０５が同一方向を向くように磁界計測素子６０を実装してある。なお、図６では、ロータ２及び支持シャフト３等を全て省略して図示してある。
【００４９】
本例では、図７に示すごとく、共通電源に対して上記の２個の磁界計測素子６０を並列接続してある。また、上記のごとく、素子基板６１では、感磁面６０５が同一方向を向くように２個の磁界計測素子６０を実装してある。それ故、本例では、２個の磁界計測素子６０が、略同一の信号電圧を出力することになる（図１１参照。同図中、符号６０Ａ、６０Ｂで示す信号電圧。）。本例のアクセルペダルユニット１では、略同一の信号電圧を出力する磁界計測素子６０を２個配設することにより、磁界計測素子６０に発生するおそれがあるトラブルに対するフェールセーフ機能を確保している。
【００５０】
上記の各部品を組み付けして製造したアクセルペダルユニット１では、図１、図２及び図４に示すごとく、ハウジング７を貫通する支持シャフト３によりロータ２が回転支持されている。そして、アクセルペダルユニット１では、ハウジング７の外周側面に設けた欠落部２１０を介して、アクセルペダル１３とロータ２とを一体的に連結するペダルロッド１２が回動し得る。
【００５１】
アクセルペダルユニット１では、図１、図２、図４及び図６に示すごとく、ハウジング７に固定したセンサブロック６の素子基板６１が、支持シャフト３の中空部３３に内挿されている。そして、素子基板６１に実装した磁界計測素子６０が、磁石体４１とガイド部材４２とが対向する間隙に位置している。
【００５２】
アクセルペダルユニット１では、図５及び図６に示すごとく、磁石体４１とガイド部材４２との間に形成される磁界が、磁界計測素子６０に作用する。なお、上述したごとく本例では、磁石体４１からガイド部材４２に向かう磁束４１６の中心をなす対称軸Ｍを基準として、２個の磁界計測素子６０をＤ／２ずつオフセットして配置してある。
【００５３】
次に、以上のように構成したアクセルペダルユニット１の機械的動作について説明する。
まず、初期状態のアクセルペダルユニット１では、図１に示すごとく、ロータ２のスプリングポケット２４２に配置したリターンスプリング２４５の付勢力により、アクセルペダル１３が元の位置（図１で示す位置。）に戻されている。
【００５４】
このとき、リターンスプリング２４５の付勢力により、ストッパ部２３９がハウジング７の内周面に当接している。磁石体４１とガイド部材４２との間隙では、図１、図６及び図８に示すごとく、磁界計測素子６０が、磁界方向（図８中、矢印で示す方向。）に対して感磁面６０５が略平行をなすような姿勢を呈する。
【００５５】
アクセルペダル１３に作用する踏力は、ペダルロッド１２を介してロータ２の回転力として伝達される。すなわち、アクセルペダル１３に踏力を作用すると、リターンスプリング２４５の付勢力に対抗してロータ２が回転することになる。このとき、ロータ２にインサートされた磁石体４１及びガイド部材４２は、その対向配置状態を維持しながら支持シャフト３を中心として回動する。このとき、図９に示すごとく、磁石体４１とガイド部材４２との間隙において、磁界計測素子６０の姿勢が相対的に変化する。
【００５６】
アクセルペダル１３をさらに踏み込みすると、ロータ２の当たり面２４８がハウジング７の受け面７１２に当接する。すなわち、本例のアクセルペダルユニット１では、上記当たり面２４８と上記受け面７１２との当接により、アクセルペダル１３の最大操作量を規制してある。
【００５７】
その後、アクセルペダル１３に作用する踏力を解放すると、リターンスプリング２４５の付勢力によりロータ２が逆向きに回転し、アクセルペダル１３が元の位置に向けて戻される。なお、本例のアクセルペダルユニット１では、上記のごとく、ストッパ部２３９及び当たり面２４８とハウジング７内周面との当接により、ロータ２の回転範囲を角度２５度に規制してある。
【００５８】
次に、以上のように構成したアクセルペダルユニット１の電気的あるいは磁気的な動作について説明する。
アクセルペダル１３の変位に応じてロータ２が回転すると、図８〜図１０に示すごとく、磁石体４１からガイド部材４２に向かう磁界方向（図８、図９における矢印方向。）が回転する。そうすると、磁石体４１とガイド部材４２との間隙に配置した磁界計測素子６０において、感磁面６０５の法線方向の磁束密度に変化を生じる。
【００５９】
本例のアクセルペダルユニット１では、図１、図８、図１０及び図１１に示すごとく、ロータ２の回転角θに応じて、磁界計測素子６０の感磁面６０５の法線方向の磁束密度が変化する。ここで、上記のごとく、本例のアクセルペダルユニット１では、アクセルペダル１３の変位がゼロであるとき（図１０において符号Ａで示す磁石体４１の回転位置。）、磁石体４１から作用する磁界方向は、磁界計測素子６０の感磁面６０５と略平行をなす。
【００６０】
このとき、図１、図８、図１０及び図１１に示すごとく、磁界計測素子６０の感磁面６０５の法線方向に作用する磁束密度は略ゼロとなる。それ故、アクセルペダルユニット１では、アクセルペダル１３の変位がゼロであるとき、感磁面６０５の法線方向の磁束密度が略ゼロとなり、磁界計測素子６０が出力する信号電圧が略ゼロとなる。
【００６１】
なお、図１１では、ロータ２の回転角θを横軸に表し、縦軸には磁界計測素子６０の信号電圧を表している。さらに、同図中のハッチングした角度範囲は、ロータ２が回転し得る範囲を示している。また、同図中、符号６０Ａ、６０Ｂは、各磁界計測素子６０が出力する信号電圧を示している。
【００６２】
アクセルペダル１３が踏み込まれた状態について、図９、図１０及び図１１を用いて説明する。アクセルペダル１３が踏み込まれると、図９を用いて上述したごとく磁石体４１が磁界計測素子６０の周りを回動する。そうすると、磁石体４１の磁界方向と感磁面６０５とが、ゼロを超えるなす角をもって交わるようになる。
【００６３】
ここで、図１０において符号Ｂで示す回転位置に磁石体４１が位置した場合を例として説明する。ロータ２が角度θ回転すると、磁界方向と感磁面６０５とのなす角の角度がθとなる。磁石体が作用する磁束密度をＢとすれば、感磁面６０５の法線方向の磁束密度Ｂ１はＢ×ｓｉｎθとなる。
【００６４】
磁界計測素子６０は、図１１に示すごとく、計測した磁束密度に応じた信号電圧を出力する。それ故、ロータ２の回転範囲（同図中、ハッチングで示す角度範囲。）を２５度に規制した本例のアクセルペダルユニット１では、図１１に示すごとく、θが大きくなるほど、磁界計測素子６０が出力する信号電圧が大きくなる。
【００６５】
仮に、ロータ２の回転範囲を規制しないとすれば、理論的には、図１１に示すごとく、ロータ２が９０度回転して感磁面６０５に対して磁界方向が直交したとき感磁面６０５の法線方向の磁束密度が最大となる。それ故、ロータ２が９０度回転したとき、磁界計測素子６０が出力し得る信号電圧が最大値をとる。
【００６６】
なお、本例のアクセルペダルユニット１では、２個の磁界計測素子６０に対して、略同一の磁界が作用するようにしてある。それ故、同図に示すごとく、２個の磁界計測素子６０が出力する信号電圧（図１１中、実線と破線で示す。）は略同一のものとなる。したがって、本例のアクセルペダルユニット１によれば、いずれかの磁界計測素子６０に何らかのトラブル等を生じた場合にも精度良くアクセルペダル１３の操作量を計測できる。
【００６７】
本例のアクセルペダルユニット１では、図１及び図４に示すごとく、磁界計測素子６０を挟んで磁石体４１と対向するよう、導磁性材料よりなるガイド部材４２を配置してある。このガイド部材４２によれば、図６に示すごとく、磁石体４１の磁束４１６を集向でき、磁界計測素子６０に作用する磁束密度を大きくできる。さらに、磁束４１６を配向できれば、磁界計測素子６０に作用する磁束４１６の平行度を高めて磁界の均一性を向上できる。
【００６８】
本例のアクセルペダルユニット１は、上記ガイド部材４２を採用したことにより、磁界計測素子６０に作用する磁界の特性を改善したものである。換言すれば、ガイド部材４２を採用したアクセルペダルユニット１によれば、磁束密度が高い高価な磁石体４１や、磁束量が多い大型の磁石体４１等によらず、磁界計測素子６０に作用する磁界の特性を効果的に改善させることができる。それ故、上記アクセルペダルユニット１によれば、比較的低コストの磁石体４１を利用しながらロータ２の回転角を精度良く計測することができる。
【００６９】
以上のように、本例のアクセルペダルユニット１は、アクセルペダル１３の回動機構をなすロータ２及び支持シャフト３に、磁石体４１あるいは磁界計測素子６０を配置したものである。それ故、上記アクセルペダルユニット１は、電子式を採用したことによる体格の大型化を回避しながらシンプルな構造のものとなり得る。そして、シンプルな構造のアクセルペダルユニット１によれば、トラブルの発生を未然に抑制でき、長期間の使用期間に渡ってその優れた初期性能を維持し得る。
なお、図１２に示すごとく、ガイド部材４２を省略してアクセルペダルユニット１を構成するのも良い。
【００７０】
（実施例２）
本例は、実施例１のアクセルペダルユニットを基にして、ガイド部材（図１中の符号１１２。）の構成を変更したものである。この内容について図１３を用いて説明する。
本例のアクセルペダルユニット１では、導磁性材料である鉄製のペダルロッド１２の端部１２２をガイド部材４２として利用している。
【００７１】
本例では、実施例１の略Ｌ字状のペダルロッドに代えて、略Ｚ字状のペダルロッド１２を採用している。具体的には、本例のペダルロッド１２は、ロータ２側の端部をシャフト孔２３０に向けて折り曲げたものである。ペダルロッド１２のロータ２側の端部１２２は、シャフト孔２３０を挟んで磁石体４１と対向するように位置している。すなわち、本例のガイド部材４２は、ペダルロッド１２の端部１２２の先端がなしている。
なお、その他の構成及び作用効果については、実施例１と同様である。
【００７２】
（実施例３）
本例は、実施例１のアクセルペダルユニットを基にして、アクセルペダル１３の踏力にヒステリシスを持たせるためのヒステリシス機構８を追加した例である。この内容について図１４及び図１５を用いて説明する。
【００７３】
ロータ２の本体部２３には、断面略円環状を呈する有底の中空部８０を穿設してある。中空部８０の底面８０２には、周方向の位置に応じて軸方向の突出量が次第に大きくなるように設定した傾斜状の第１のカム８０１（以下、単に、カム８０１という。）を設けてある。
ハウジングケース７１は、本体部２３の中空部８０に内挿される略有底円筒状のカムホルダ８３を有している。このカムホルダ８３の内周面には、軸方向に延設された凹状のスライド溝（図示略）を設けてある。
【００７４】
ヒステリシス機構８は、スライドカム８１と、スライドカム８１を軸方向に付勢するカムスプリング８２とを有している。スライドカム８１は、略円筒状をなし、カムホルダ８３に内挿される部材である。スライドカム８１は、その外周面に、カムホルダ８３の上記スライド溝に係合する凸部８３４を有している。
【００７５】
カムホルダ８３に内挿されたスライドカム８１は、スライド溝と凸部８３４との係合により回転が規制される。さらに、スライドカム８１は、ロータ２側の端面に、周方向に沿って軸方向の突出量が次第に大きくなる第２のカム８１５（以下、単に、カム８１５という。）を形成してある。このカム８１５は、ロータ２のカム８０１に対応するカムプロファイルを備えたものである。
【００７６】
カム８１５とカム８０１との当接構造は、スライドカム８１に対してロータ２が回転（アクセルペダル１３を踏み込んだときの回転方向。）したときにスライドカム８１を軸方向に後退させる一方、ロータ２に対してスライドカム８１を押し付けたときにロータ２を逆回転（アクセルペダル１３を元の位置に戻そうとする回転方向。）させようとする回転力が発生し得るように構成したものである。
【００７７】
本例のアクセルペダルユニット１では、アクセルペダル１３の変位に応じてロータ２が回転すると、上記のごとく回転を規制されたスライドカム８１とロータ２との間で相対回転が発生する。これにより、ロータ２のカム８０１とスライドカム８１のカム８１５とが摺動し、カムスプリング８２の付勢力に対抗してスライドカム８１がハウジングケース７１側に変位することになる。
【００７８】
スライドカム８１がハウジングケース７１側に変位した状態では、カムスプリング８２に付勢されたスライドカム８１のカム８１５が、ロータ２のカム８０１に対して押圧力を作用する。そして、この押圧力は、カム８１５と８０１との上記の当接構造に基づき、スライドカム８１とロータ２とを相対回転させようとする回転力に変換される。ここで、上記のごとくスライドカム８１は、回転が規制されている。そのため、スライドカム８１とロータ２との間に作用する回転力は、ロータ２を回転させようとする回転力となる。
【００７９】
したがって、上記のようにアクセルペダル１３を踏み込みした状態では、リターンスプリング（図１中、符号２４５。）の付勢力と、カムスプリング８２の付勢力とに基づいて、アクセルペダル１３を元の位置に戻そうとする反力が発生する。
その後、アクセルペダル１３の踏力を解放すると、リターンスプリング８５の付勢力と、カムスプリング８２の付勢力とに基づく上記反力により、アクセルペダル１３が初期位置に向けて戻される。
【００８０】
上記のようにアクセルペダルユニット１では、アクセルペダル１３を踏み込んだり、戻したりする際、スライドカム８１のカム８１５とロータ２のカム８０１とが摺動し、スライドカム８１が軸方向に進退する。このアクセルペダルユニット１においては、スライドカム８１のカム８１５と、ロータ２のカム８０１との間に作用する摩擦力に応じて、アクセルペダル１３の変位特性にヒステリシスを持たせることができる。
なお、その他の構成及び作用効果については、実施例１と同様である。
【００８１】
（実施例４）
本例は、実施例１のアクセルペダルユニットを基にして、センサブロック６を変更した例である。この内容について、図１６及び図１７を用いて説明する。
本例のセンサブロック６は、ロータ２の本体部２３の径方向外側から中心軸に向けて素子基板６１を挿入するように構成したものである。
【００８２】
支持シャフト３は、径方向外側から素子基板６１を挿入可能なように、軸方向の一部に中空部３３を形成してなる。ロータ２の本体部２３は、その外周面から径方向中心に向かって穿設され、シャフト孔２３０に開口する横穴２３８を有している。この横穴２３８は、軸方向の幅が素子基板６１の横幅よりも若干広く、周方向の開口角度が本体部２３の回転角度である２５度に略一致したものである。本例のアクセルペダルユニット１では、ロータ２の横穴２３８を介して、素子基板６１が挿入されている。さらに、本例の本体部２３では、支持シャフト３を介して横穴２３８と対向する周方向位置に磁石体４１をインサートしてある。
【００８３】
センサブロック６は、実施例１のセンサブロック（図２における符号６。）と同様、車体側のコネクタを接続するためのコネクタソケット部６３と、磁界計測素子６０を実装した素子基板６１と、素子基板６１を覆う素子カバー部６２とを有している。実施例１のセンサブロックとの相違点は、素子カバー部６２と素子基板６１とにある。
【００８４】
素子カバー部６２は、ハウジング７の外周面のうち、軸方向に沿う外周面に取り付けするように構成してある。素子基板６１は、ハウジング７の外周面から軸芯にまで到達できるよう、実施例１の素子基板６１に対して実装部６１２を延長してある。なお、素子基板６１の裏表の略同一位置に１個ずつ磁界計測素子６０を配置することもできる。
【００８５】
なお、その他の構成及び作用効果については、実施例１と同様である。
また、本体部２３としては、軸方向に２分割の構造をなし、軸方向の間隙に磁石体４１を保持したものを採用することもできる。この場合には、本体部２３の軸方向の間隙を介して、素子基板６１を差し込むことができる。
【図面の簡単な説明】
【００８６】
【図１】実施例１における、アクセルペダルユニットの断面構造を示す断面図（図３におけるＢ−Ｂ線矢視断面図。）。
【図２】実施例１における、アクセルペダルユニットの組み付け構造を示す斜視図。
【図３】実施例１における、アクセルペダルユニットを示す正面図。
【図４】実施例１における、アクセルペダルユニットの断面構造を示す断面図（図１におけるＡ−Ａ線矢視断面図。）。
【図５】実施例１における、素子基板を示す斜視図。
【図６】実施例１における、磁石体から作用する磁束を示す説明図。
【図７】実施例１における、磁界計測素子の周辺回路を示す回路図。
【図８】実施例１における、磁石体とガイド部材の間隙に磁界計測素子を配置した様子を示す説明図（アクセルペダルの変位がゼロのとき。）。
【図９】実施例１における、磁石体とガイド部材の間隙に磁界計測素子を配置した様子を示す説明図（アクセルペダルを踏み込んだとき。）。
【図１０】実施例１における、磁界計測素子が計測する磁束密度を説明する説明図。
【図１１】実施例１における、ロータの回転角θと磁界計測素子が出力する信号電圧との関係を示すグラフ。
【図１２】実施例１における、その他のアクセルペダルユニットの断面構造を示す断面図。
【図１３】実施例２における、アクセルペダルユニットの断面構造を示す断面図（図３におけるＢ−Ｂ線矢視断面に相当する断面図。）。
【図１４】実施例３における、アクセルペダルユニットの組み付け構造を示す斜視図。
【図１５】実施例３における、アクセルペダルユニットの断面構造を示す断面図。（図１におけるＡ−Ａ線矢視断面に相当する断面図。）。
【図１６】実施例４における、アクセルペダルユニットの断面構造を示す断面図（図３におけるＢ−Ｂ線矢視断面に相当する断面図。）。
【図１７】実施例４における、アクセルペダルユニットの断面構造を示す断面図（図１６におけるＣ−Ｃ線矢視断面。）。
【符号の説明】
【００８７】
１  電子式の回転角計測ユニット（アクセルぺダルユニット）
１２  ぺダルロッド
１３  アクセルペダル
２  ロータ
３  支持シャフト
３３  中空部
４１  磁石体
４２  ガイド部材
７  ハウジング
７１  ハウジングケース
７２  ハウジングカバー
６  センサブロック
６０  磁界計測素子
６０５  感磁面
６１  素子基板
【図１】
2007256122.tif 000003
【図２】
2007256122.tif 000004
【図３】
2007256122.tif 000005
【図４】
2007256122.tif 000006
【図５】
2007256122.tif 000007
【図６】
2007256122.tif 000008
【図７】
2007256122.tif 000009
【図８】
2007256122.tif 000010
【図９】
2007256122.tif 000011
【図１０】
2007256122.tif 000012
【図１１】
2007256122.tif 000013
【図１２】
2007256122.tif 000014
【図１３】
2007256122.tif 000015
【図１４】
2007256122.tif 000016
【図１５】
2007256122.tif 000017
【図１６】
2007256122.tif 000018
【図１７】
2007256122.tif 000019